(57)【要約】【課題】冷媒用配管の組付け性、固定強度、またダッシュパネルの貫通部におけるシール性の向上を図る。【解決手段】空調用空気を取込むブロワユニット２と、少なくともエバポレータ及びヒータコアが収納されるメインユニット３とが連結されてなり、前記エバポレータと接続し前記メインユニットの外部に導出された冷媒用配管が、ダッシュパネルを隔てて存するエンジン室内の配管と接続する空調ユニット１において、前記冷媒用配管と一体に設けられた配管側固定部５０と、前記ブロワユニット２と一体に設けられたブロワ側固定部２５とを有して構成され、これら配管側固定部５０とブロワ側固定部２５とを連結させることにより前記冷媒用配管の少なくとも一部を前記ブロワユニット２に固定させる固定手段を備える。【選択図】        図１
2004168243.tif 000002
【特許請求の範囲】
【請求項１】
空調用空気を取込むブロワユニットと、少なくともエバポレータ及びヒータコアが収納されるメインユニットとが連結されてなり、前記エバポレータと接続し前記メインユニットの外部に導出された冷媒用配管が、ダッシュパネルを隔てて存するエンジン室内の配管と接続する空調ユニットにおいて、
前記冷媒用配管と一体に設けられた配管側固定部と、前記ブロワユニットと一体に設けられたブロワ側固定部とを有して構成され、これら配管側固定部とブロワ側固定部とを連結させることにより前記冷媒用配管の少なくとも一部を前記ブロワユニットに固定させる固定手段を備えることを特徴とする空調ユニット。
【請求項２】
前記配管側固定部は、前記冷媒用配管の前記ダッシュパネル側の先端部に設けられたコネクタに設けられ、前記ブロワ側固定部は、前記ブロワユニットのケーシングの外壁面に設けられていることを特徴とする請求項１記載の空調ユニット。
【請求項３】
前記ブロワ側固定部は、前記ブロワユニットの空気吹出し通路の上部に設けられていることを特徴とする請求項２記載の空調ユニット。
【請求項４】
前記配管側固定部と前記ブロワ側固定部との連結には、スクリュ又はボルトを用い、該スクリュ又はボルトの締付け方向が車両前方へ向いていることを特徴とする請求項３に記載の空調ユニット。
【請求項５】
前記配管側固定部及び前記ブロワ側固定部には、位置決め手段が設けられていることを備えることを特徴とする請求項１〜４のいずれか１つに記載の空調ユニット。
【請求項６】
前記位置決め手段は、凸部及び凹部からなることを特徴とする請求項５記載の空調ユニット。
【請求項７】
前記ヒータコアと接続される配管の少なくとも一部を前記ブロワユニットに固定させる手段を備えることを特徴とする請求項１記載の空調ユニット。
【発明の詳細な説明】
【０００１】
【発明の属する技術分野】
本発明は、自動車用の空調ユニットに関し、特にケーシング外に導出された配管の固定構造に関するものである。
【０００２】
【従来の技術】
空調ユニット内には、冷却用熱交換器（エバポレータ）や加熱用熱交換器（ヒータコア）が配置されており、これらの熱交換器には、それぞれ熱交換媒体を流通させる配管が接続されている。これらの配管は、空調ユニットのケーシング外へ導出されダッシュパネルを貫通してエンジン室内に配された配管と接続している。
【０００３】
前記ケーシング外へ導出された配管の組付けには、固定強度、シール性等の問題に対処するべく工夫が要求される。従来の空調ユニットにおける配管の固定構造としては、例えば、ユニットケース外へ導出されたパイプを載置する載置用アームの先端部に係合孔が形成されると共に、該載置用アームの基部側に回転軸穴が配設され、前記載置用アームに係合されるパイプ固定アームの一端に、前記回転軸穴に回転自在に嵌合される回転軸が側方に向けて突設されると共に、該パイプ固定アームの他端に前記係合孔に挿入されて係合するロック片が形成されてなるものがある（特許文献１参照）。また、ケースの外側に配管したヒータパイプ（加熱用熱交換器と連結するもの）を被覆するパイプカバーがその端部に一体成形されたブラケット部をケースの側壁に突設したブラケット支持壁に衝接係合し、シール用グロメットをこれらブラケット部とブラケット支持壁に嵌着することによって、該グロメットでブラケット部をブラケット支持壁に固定し、ヒータパイプの端部の固定とグロメットの装着とを行えるようにしたものがある（特許文献２参照）。これらの技術により、組付性の向上、部品点数の削減等を図ることができるとされている。
【０００４】
【特許文献１】
特開２００２−１２７７３５号公報
【０００５】
【特許文献２】
特開平１１−２６３１１８号公報
【０００６】
【発明が解決しようとする課題】
しかしながら、上記特許文献１及び２に記載のいずれの技術も、ケーシング外に配される配管の固定に関するものではあるが、配管のダッシュパネルを貫通する部分における問題を解決するものではない。このダッシュパネルの貫通部分は、空調ユニットの構成、エンジン室のスペース、ダッシュパネルの構造等の制約から、通常はユニットケースの貫通部分から遠い場所にならざるを得ず、ユニットケースからダッシュパネルまでの配管の長さが長くなることが多い。このため、配管のダッシュパネルの貫通部における強度及び組付け精度、またダッシュパネルへの押付け力の不足によるシール性の悪化等が問題視されている。
【０００７】
そこで、本発明は、ケーシング外へ導出された配管の組付け性、固定強度、またダッシュパネルの貫通部におけるシール性の向上を図ることを課題とする。
【０００８】
【課題を解決するための手段】
【０００９】
上記課題を解決するために、本発明は、空調用空気を取込むブロワユニットと、少なくともエバポレータ及びヒータコアが収納されるメインユニットとが連結されてなり、前記エバポレータと接続し前記メインユニットの外部に導出された冷媒用配管が、ダッシュパネルの向こう側に存するエンジン室内の配管と接続する空調ユニットにおいて、前記冷媒用配管と一体に設けられた配管側固定部と、前記ブロワユニットと一体に設けられたブロワ側固定部とを有して構成され、これら配管側固定部とブロワ側固定部とを連結させることにより前記冷媒用配管の少なくとも一部を前記ブロワユニットに固定させる固定手段を備えるものである（請求項１）。
【００１０】
上記固定手段により、メインユニット外に導出された冷媒用配管はブロワユニットに固定される。これにより、冷媒用配管の固定強度、組付け性の向上を図ることができる。
【００１１】
また、前記配管側固定部は、前記冷媒用配管の前記ダッシュパネル側の先端部に設けられたコネクタに設けられ、前記ブロワ側固定部は、前記ブロワユニットのケーシングの外壁面に設けられていることが望ましい（請求項２）。
【００１２】
上記コネクタは、冷媒用配管のダッシュパネル貫通部の周縁に当接し、冷媒用配管をこの貫通部に固定させると共にエンジン室側からの水をシールするものである。本発明に係る上記構成は、このコネクタ部分をブロワユニットのケーシングに固定させるものであり、これにより固定強度、組付け精度、またダッシュパネルへの押付け力の増加によるシール性の向上を図ることができる。
【００１３】
また、前記ブロワ側固定部は、前記ブロワユニットの空気吹出し通路の上部に設けられていること（請求項３）、更に前記配管側固定部と前記ブロワ側固定部との連結にはスクリュ又はボルトを用い、該スクリュ又はボルトの締付け方向が車両前方へ向いていること（請求項４）が望ましい。
【００１４】
ブロワ側固定部を設ける場所としては、空調ユニットの構造、組付け作業性等の点から、ブロワユニットの空気吹出し通路の上部付近が最も適している。また、組付け時、メンテナンス時における作業性から、スクリュ又はボルトの締付け方向を車両前方へとするのがよい。
【００１５】
また、組付け精度を向上させるために、前記配管側固定部及び前記ブロワ側固定部には、位置決め手段が設けられていることが望ましい（請求項５）。この前記位置決め手段は、例えば、前記配管側固定部及び前記ブロワ側固定部に凸部及び凹部を形成すること（請求項６）により構成することができる。
【００１６】
また、上記請求項１記載の構成に加え、前記ヒータコアと接続される配管の少なくとも一部を前記ブロワユニットに固定させる手段を備えることによって（請求項７）、前記冷媒用配管と同様に、ヒータコアと接続される配管の固定強度、組付け性の向上を図ることができる。
【００１７】
【発明の実施の形態】
以下、添付した図面により本発明の実施の形態を説明する。図１に示す本実施の形態に係る空調ユニット１は、ブロワユニット２とメインユニット３とが連結することによって構成される。ブロワユニット２は、空調装置の設定操作に基づいて外気又は内気から選択的に空気を取込むものであり、メインユニット３は、ブロワユニット２により取込まれた空気を、空調装置の設定操作に基づいて温度調節すると共に所定の車室内吹出し口へと送り出すものである。
【００１８】
ブロワユニット２は、図２及び図３に示すように、上部ケーシング１０、下部ケーシング１１、外気導入口１２、内気導入口１３、内外気切替えドア１４、リンク機構１５、ファン１６、モータ１７、空気吹出し口１９等を有して構成されており、設定されたモードに従ってリンク機構１５と連結した内外気切替えドア１４が外気導入口１２及び内気導入口１３を選択的に開閉すると共に、モータ７と連結したファン１６が所定の回転速度で回転することにより、所望の空気を取入れるものである。
【００１９】
下部ケーシング１１には、ファン１６が配置された上面視略円形状のくぼみ部、このくぼみ部から空気流を導くように設けられた空気吹出し通路１８、空気吹出し通路１８の先端部に開口した空気吹出し口１９が形成されており、空気吹出し口１９の周縁部には、弾性材料からなり後述するメインユニット３の所定部に当接するシール部材２０が設けられている。
【００２０】
空気吹出し通路１８の上部には、図２乃至図４に示すように、これと一体にブロワ側固定部２５が設けられている。ブロワ側固定部２５は、略垂直に設けられた当接面２６、当接面２６に穿設された位置決め凹部２７、当接面２６に穿設されたボルト締付け孔２８を備えている。
【００２１】
図５乃至図７に示すメインユニット３は、ケーシング４０、エバポレータ４１、冷媒流入用配管４２、冷媒流出用配管４３、コネクタ４４、空気取入れ口４５、ヒータコア、ヒータコア用配管４６、各種吹出し口、吹出しモード切替えドア等を備えて構成されている。エバポレータ４１は、所定の冷媒を循環させる冷凍サイクルの一部をなす装置であり、冷媒流入用配管４２及び冷媒流出用配管４３は、エバポレータ４１と連通していると共に、エンジン室側に配された配管を介してコンデンサ及びコンプレッサと連通している。コネクタ４４は、冷媒流入用配管４２及び冷媒流出用配管４３のダッシュパネル３０（図７参照）側の先端部に固定され、自らがダッシュパネル３０に当接固定されることにより、冷媒流入用配管４２及び冷媒流出用配管４３を固定しエンジン室側の配管と接続させるものである。また、コネクタ４４のダッシュパネル３０側の先端面には弾性材料からなるシール部材４７が設けられており、このシール部材４７がダッシュパネル３０に圧接固定されることにより、エンジン室側からの水の浸入等が防止される。空気取入れ口４５は、前記ブロワユニット２の空気吹出し口１９と連通し、その周縁部に空気吹出し口１９のシール部材２０が当接される。ヒータコア用配管４６は、ヒータコアと連通し所定の熱交換媒体を流通させるものである。
【００２２】
前記コネクタ４４の裏面（シール部材４７とは反対側の面）には、図５乃至図８に示すように、配管側固定部５０が設けられている。配管側固定部５０は、略垂直に設けられた当接面５１、当接面５１に形成された位置決め用凸部５２、当接面５１に穿設されたボルト締付け孔５３を備えて構成されている。
【００２３】
本発明の空調ユニット１は、上記ブロワ側固定部２５と配管側固定部５０とを連結固定することにより、冷媒用配管４２，４３の先端部（コネクタ４４）をブロワユニット２に固定させるものである。上記構成の空調ユニット１を車両へ組付ける際には、先ずメインユニット３を所定位置に設置し、次いで、ブロワ側固定部２５の位置決め凹部２７を配管側固定部５０の位置決め用凸部５２に嵌合させるように、ブロワユニット２を設置する。そして、前記ブロワユニット２とメインユニット３とを連結させると共に、図９に示すように、前記ブロワ側固定部２５と配管側固定部５０とを、前記ボルト締付け孔２８，５３を介してボルト５５によって締結する。これによって、メインユニット３とブロワユニット２とは、高い固定強度、組付け精度をもって連結されると共に、前記コネクタ４４をダッシュパネルに強く押し当てることができるようになるため、シール性を向上させることができる。また、ボルト５５の締付け方向Ａを車両前方方向（ダッシュパネル側）とすることによって、組付け時、メンテナンス時における作業性を向上させることができる。
【００２４】
また、前記ヒータコア用配管４６についても、前記冷媒用配管４２，４３の場合と同様に、ブロワユニット２に固定する手段を設けてもよく、これによりケーシング４０外へ導出されたヒータコア用配管４６の固定強度、組付け性等を向上させることができる。
【００２５】
【発明の効果】
以上のように、本発明によれば、ケーシング外へ導出された配管をブロワユニットに固定するようにしたので、配管の固定強度、組付け性の向上を図ることができ、また配管の先端部に設けられたコネクタのダッシュパネルへの押付け力を増大させることができるので、ダッシュパネルの貫通部におけるシール性を向上させることができる。
【図面の簡単な説明】
【図１】図１は、本発明の実施の形態に係る空調ユニットの特徴部分を示す図である。
【図２】図２は、本実施の形態に係るブロワユニットの構造を示す正面図である。
【図３】図３は、本実施の形態に係るブロワユニットの構造を示す側面一部断面図である。
【図４】図４は、本実施の形態に係るブロワ側固定部の構造を示す一部拡大斜視図である。
【図５】図５は、本実施の形態に係るメインユニットの構造を示す正面図である。
【図６】図６は、本実施の形態に係るメインユニットの構造を示す背面図である。
【図７】図７は、本実施の形態に係るメインユニットの構造を示す側面図である。
【図８】図８は、本実施の形態に係る配管側固定部の構造を示す一部拡大斜視図である。
【図９】図９は、上記ブロワ側固定部及び配管側固定部の連結構造を示す図である。
【符号の説明】
１  空調ユニット
２  ブロワユニット
３  メインユニット
１０  上部ケーシング
１１  下部ケーシング
１８  空気吹出し通路
２５  ブロワ側固定部
２６  当接面
２７  位置決め凹部
２８  ボルト締付け用孔
３０  ダッシュパネル
４０  ケーシング
４１  エバポレータ
４２  流入側冷媒用配管
４３  流出側冷媒用配管
４４  コネクタ
４７  シール部材
５０  配管側固定部材
５１  当接面
５２  位置決め凸部
５３  ボルト締付け用孔
５５  ボルト
【図１】
2004168243.tif 000003
【図２】
2004168243.tif 000004
【図３】
2004168243.tif 000005
【図４】
2004168243.tif 000006
【図５】
2004168243.tif 000007
【図６】
2004168243.tif 000008
【図７】
2004168243.tif 000009
【図８】
2004168243.tif 000010
【図９】
2004168243.tif 000011